(57)【要約】  小型化が容易な撮像装置及び当該撮像装置を備える携帯端末を提供するために、撮像光学系２と、撮像素子４と、撮像光学系２の光軸Ｏを中心として撮像光学系２の周囲を取り巻くように配置され、撮像光学系２を駆動するヘリモルフアクチュエータ３と、撮像光学系２の光軸Ｏに対して垂直に配置された略矩形状の第１基板５と、第１基板５の撮像光学系２側に第１基板５に対して垂直に配置され、第１基板５の一縁部５ａ近傍と接続される第２基板６と、を備え、第１基板５は、第１基板５の一縁部５ａ側における撮像素子４の端部４ａと接して一縁部５ａと平行な境界線Ｂを挟んで、撮像素子４側の第１エリアＭと、第１エリアＭに隣接する第２エリアＮとに分かれ、第１エリアＭ上方には、ヘリモルフアクチュエータ３が配置され、第２基板６には、ヘリモルフアクチュエータ３を駆動する電子部品７が固定されるよう構成した。
2007097155.tif 000002
【特許請求の範囲】
【請求項１】
被写体光を導くための撮像光学系と、
前記撮像光学系に導かれた被写体光を光電変換する撮像素子と、
前記撮像光学系の光軸を中心として当該撮像光学系の周囲を取り巻くように配置され、当該撮像光学系を駆動する圧電アクチュエータと、
前記撮像光学系の光軸に対して垂直に配置され、当該撮像光学系側の面に前記撮像素子を固定した略矩形状の第１基板と、
前記第１基板の前記撮像光学系側に、前記第１基板に対して立てられて配置され、当該第１基板の一縁部近傍と接続される第２基板と、を備え、
前記第１基板は、前記一縁部側における前記撮像素子の端部と接して当該一縁部と平行な境界線を挟んで、当該撮像素子側の第１エリアと、当該第１エリアに隣接する第２エリアとに分かれ、
前記第１エリア上方にのみ、前記圧電アクチュエータが配置され、
前記第２基板の前記撮像光学系側の面には、前記圧電アクチュエータを駆動する電子部品が固定されていることを特徴とする撮像装置。
【請求項２】
請求の範囲第１項に記載の撮像装置において、
前記圧電アクチュエータと前記第２基板に固定された前記電子部品とを隔てるシールド部材を備えることを特徴とする撮像装置。
【請求項３】
被写体光を導くための撮像光学系と、
前記撮像光学系に導かれた被写体光を光電変換する撮像素子と、
前記撮像光学系の光軸を中心として当該撮像光学系の周囲を取り巻くように配置され、当該撮像光学系を駆動する圧電アクチュエータと、
前記撮像光学系の光軸に対して垂直に配置され、当該撮像光学系側の面に前記撮像素子を固定した略矩形状の基板と、を備え、
前記基板は、当該基板の一縁部側における前記撮像素子の端部と接して当該一縁部と平行な境界線を挟んで、当該撮像素子側の第１エリアと、当該第１エリアに隣接する第２エリアとに分かれ、
前記第１エリア上方にのみ、前記圧電アクチュエータが配置され、
前記第２エリアには、前記圧電アクチュエータを駆動する電子部品が固定されていることを特徴とする撮像装置。
【請求項４】
請求の範囲第３項に記載の撮像装置において、
前記圧電アクチュエータと前記第２エリアに固定された前記電子部品とを隔てるシールド部材を備えることを特徴とする撮像装置。
【請求項５】
請求の範囲第１項〜第４項の何れか一項に記載の撮像装置において、
前記圧電アクチュエータは、ヘリモルフアクチュエータであることを特徴とする撮像装置。
【請求項６】
請求の範囲第１項〜第５項の何れか一項に記載の撮像装置を端末本体に備えることを特徴とする携帯端末。
【発明の詳細な説明】
【技術分野】
【０００１】
本発明は、撮像装置及び携帯端末に関する。
【背景技術】
【０００２】
圧電アクチュエータとして、圧電材料からなる層と電極からなる層とを有する積層テープを、螺旋状又は円形状の巻回軸を中心に、螺旋状に巻回することによって形成した“Ｈｅｌｉｍｏｒｐｈ  Ａｃｔｕａｔｏｒ（以下、「ヘリモルフアクチュエータ」という。Ｈｅｌｉｍｏｒｐｈは、英１Ｌｔｄ社の登録商標）”が知られている（例えば、特許文献１参照）。このヘリモルフアクチュエータは、螺旋状に巻回されているため、駆動範囲が大きいという利点がある。【０００３】
ところで、携帯端末（携帯電話機やＰＤＡ（Ｐｅｒｓｏｎａｌ  Ｄｉｇｉｔａｌ  Ａｓｓｉｓｔａｎｔ）など）やデジタルカメラなどに搭載された撮像装置が知られている。この撮像装置に内蔵された撮像光学系（可動レンズ）は、焦点合わせやズーム動作のために駆動される必要がある。そこで、ヘリモルフアクチュエータを、当該駆動のために使用する発明が提案された（例えば、特許文献２参照）。【０００４】
具体的には、撮像光学系の光軸を中心として当該撮像光学系の周囲を取り巻くようにヘリモルフアクチュエータを配置し、当該ヘリモルフアクチュエータの一端を外枠部材に固定して他端を撮像光学系に固定する。そして、この状態のヘリモルフアクチュエータに電子部品から電圧を印加すると、ヘリモルフアクチュエータは、撮像光学系に固定された他端を動かして撮像光学系を光軸方向に駆動し、撮像光学系の位置を調整する。【０００５】
ところで、ヘリモルフアクチュエータ用の電子部品が固定される基板は、撮像装置の外枠部材内に収容される。よって、撮像装置の小型化を図るためには、外枠部材に収容される電子部品やヘリモルフアクチュエータを小型化すればよいこととなる。
【特許文献１】特表２００３−５１８７５２号公報
【特許文献２】特表２００４−５３０１７２号公報
【発明の開示】
【発明が解決しようとする課題】
【０００６】
しかしながら、ヘリモルフアクチュエータ用の電子部品は、撮像光学系の位置調整等に使用される従来のアクチュエータ用の電子部品と比較して大きく、且つ、ヘリモルフアクチュエータ自体が独特な形状であるため、電子部品等の効率的な配置が難しく、撮像装置の更なる小型化が難しいという問題があった。【０００７】
本発明の課題は、小型化が容易な撮像装置及び当該撮像装置を備える携帯端末を提供することにある。
【課題を解決するための手段】
【０００８】
上記課題を解決するために、請求の範囲第１項に記載の発明は、撮像装置において、被写体光を導くための撮像光学系と、前記撮像光学系に導かれた被写体光を光電変換する撮像素子と、前記撮像光学系の光軸を中心として当該撮像光学系の周囲を取り巻くように配置され、当該撮像光学系を駆動する圧電アクチュエータと、前記撮像光学系の光軸に対して垂直に配置され、当該撮像光学系側の面に前記撮像素子を固定した略矩形状の第１基板と、前記第１基板の前記撮像光学系側に、前記第１基板に対して立てられて配置され、当該第１基板の一縁部近傍と接続される第２基板と、を備え、前記第１基板は、前記一縁部側における前記撮像素子の端部と接して当該一縁部と平行な境界線を挟んで、当該撮像素子側の第１エリアと、当該第１エリアに隣接する第２エリアとに分かれ、前記第１エリア上方にのみ、前記圧電アクチュエータが配置され、前記第２基板の前記撮像光学系側の面には、前記圧電アクチュエータを駆動する電子部品が固定されていることを特徴とする。【０００９】
請求の範囲第２項に記載の発明は、請求の範囲第１項に記載の撮像装置において、前記圧電アクチュエータと前記第２基板に固定された前記電子部品とを隔てるシールド部材を備えることを特徴とする。【００１０】
請求の範囲第３項に記載の発明は、撮像装置において、被写体光を導くための撮像光学系と、前記撮像光学系に導かれた被写体光を光電変換する撮像素子と、前記撮像光学系の光軸を中心として当該撮像光学系の周囲を取り巻くように配置され、当該撮像光学系を駆動する圧電アクチュエータと、前記撮像光学系の光軸に対して垂直に配置され、当該撮像光学系側の面に前記撮像素子を固定した略矩形状の基板と、を備え、前記基板は、当該基板の一縁部側における前記撮像素子の端部と接して当該一縁部と平行な境界線を挟んで、当該撮像素子側の第１エリアと、当該第１エリアに隣接する第２エリアとに分かれ、前記第１エリア上方には、前記圧電アクチュエータが配置され、前記第２エリアにのみ、前記圧電アクチュエータを駆動する電子部品が固定されていることを特徴とする。【００１１】
請求の範囲第４項に記載の発明は、請求の範囲第３項に記載の撮像装置において、前記圧電アクチュエータと前記第２エリアに固定された前記電子部品とを隔てるシールド部材を備えることを特徴とする。【００１２】
請求の範囲第５項に記載の発明は、請求の範囲第１項〜第４項の何れか一項に記載の撮像装置において、前記圧電アクチュエータは、ヘリモルフアクチュエータであることを特徴とする。【００１３】
請求の範囲第６項に記載の発明は、携帯端末において、請求の範囲第１項〜第５項の何れか一項に記載の撮像装置を端末本体に備えることを特徴とする。
【発明の効果】
【００１４】
請求の範囲第１項に記載の発明によれば、撮像素子が固定された第１エリア上方にのみ圧電アクチュエータが配置されているため、圧電アクチュエータに邪魔されることなく、圧電アクチュエータ用の電子部品を、撮像素子が固定されていない第２エリア上方に固定することができる。したがって、撮像装置内の限られたスペースに、圧電アクチュエータと当該圧電アクチュエータ用の電子部品を効率よく収容することができるため、小型化が容易な撮像装置を提供することができる。【００１５】
請求の範囲第２項に記載の発明によれば、請求の範囲第１項に記載の発明と同様の効果が得られることは無論のこと、シールド部材によって圧電アクチュエータと当該圧電アクチュエータ用の電子部品とを隔てることができるため、電子部品から発せられる電磁波等の影響による圧電アクチュエータの誤作動等を防止することができる。さらに、シールド部材によって撮像素子と圧電アクチュエータ用の電子部品とを隔てることができるため、電子部品から発せられる電磁波等の影響によって撮像素子にのるノイズを、軽減することができる。【００１６】
請求の範囲第３項に記載の発明によれば、撮像素子が固定された第１エリア上方にのみ圧電アクチュエータが配置されているため、圧電アクチュエータに邪魔されることなく、圧電アクチュエータ用の電子部品を、撮像素子が固定されていない第２エリアに固定することができる。したがって、撮像装置内の限られたスペースに、圧電アクチュエータと当該圧電アクチュエータ用の電子部品を効率よく収容することができるため、小型化が容易な撮像装置を提供することができる。【００１７】
請求の範囲第４項に記載の発明によれば、請求の範囲第３項に記載の発明と同様の効果が得られることは無論のこと、シールド部材によって圧電アクチュエータと当該圧電アクチュエータ用の電子部品とを隔てることができるため、電子部品から発せられる電磁波等の影響による圧電アクチュエータの誤作動等を防止することができる。さらに、シールド部材によって撮像素子と圧電アクチュエータ用の電子部品とを隔てることができるため、電子部品から発せられる電磁波等の影響によって撮像素子にのるノイズを、軽減することができる。【００１８】
請求の範囲第５項に記載の発明によれば、請求の範囲第１項〜第４項の何れか一項に記載の発明と同様の効果が得られることは無論のこと、圧電アクチュエータが、ヘリモルフアクチュエータであるため、撮像光学系の駆動範囲を大きくすることができる。【００１９】
請求の範囲第６項に記載の発明によれば、携帯端末は、端末本体に、請求の範囲第１項〜第５項の何れか一項に記載の撮像装置を備えているため、上述した請求の範囲第１項〜第５項の何れか一項の効果を有する撮像装置を備えた携帯端末を提供することができる。
【図面の簡単な説明】
【００２０】
【図１】第１の実施の形態にかかる撮像装置の斜視図である。
【図２】第１の実施の形態にかかる撮像装置の平面図である。
【図３】図２のＰ−Ｏ−Ｑ断面を示す図である。
【図４】図２のＲ−Ｏ−Ｓ断面を示す図である。
【図５】第１エリア及び第２エリアを説明するための図である。
【図６】ヘリモルフアクチュエータの斜視図である。
【図７】ヘリモルフアクチュエータが撮像光学系を駆動している際の、図２のＲ−Ｏ−Ｓ断面を示す図である。
【図８】第１の実施の形態にかかる携帯電話機（携帯端末）の正面図（ａ）及び背面図（ｂ）である。
【図９】第２の実施の形態にかかる撮像装置の斜視図である。
【図１０】第２の実施の形態にかかる撮像装置の平面図である。
【図１１】図１０のｐ−Ｏ−ｑ断面を示す図である。
【図１２】第２の実施の形態にかかる携帯電話機（携帯端末）の正面図（ａ）及び背面図（ｂ）である。
【符号の説明】
【００２１】
２  撮像光学系
３  ヘリモルフアクチュエータ（圧電アクチュエータ）
４  撮像素子
４ａ  端部
５  第１基板
５Ａ  基板
５ａ  一縁部
６  第２基板
７  電子部品
８  シールド部材
１０，１０Ａ  撮像装置
１００，１００Ａ  携帯電話機（携帯端末）
１００ａ，１００ａＡ  端末本体
Ｂ  境界線
Ｍ  第１エリア
Ｎ  第２エリア
Ｏ  光軸
【発明を実施するための最良の形態】
【００２２】
以下、図を参照して、本発明にかかる撮像装置及び当該撮像装置を備える携帯端末を詳細に説明する。なお、発明の範囲は、図示例に限定されない。
［第１の実施の形態］
まず、第１の実施の形態における撮像装置１０及び撮像装置１０を備える携帯端末１００について説明する。【００２３】
撮像装置１０は、例えば、図１〜４に示すように、本体部１１と、蓋部１２などにより構成された外枠部材１と、外枠部材１の内側に配置された撮像光学系２と、外枠部材１の内側に、撮像光学系２の光軸Ｏを中心として撮像光学系２の周囲を取り巻くように配置されたヘリモルフアクチュエータ３と、外枠部材１の内側に、撮像光学系２の光軸Ｏに対して略垂直に配置された撮像素子４と、撮像光学系２の光軸Ｏに対して略垂直に配置され、撮像光学系２側の面に外枠部材１や撮像素子４を固定した第１基板５と、外枠部材１の内側における第１基板５の撮像光学系２側に、第１基板５に対して略垂直に立てられた状態で配置され、第１基板５の一縁部５ａ近傍と接続される第２基板６と、第２基板６の撮像光学系２側の面に固定された複数の電子部品７，７，…と、外枠部材１の内側における撮像光学系２と電子部品７との間に、撮像光学系２の光軸Ｏに対して略平行に配置されたシールド部材８と、外枠部材１の内側における撮像光学系２と撮像素子４との間に、撮像光学系２の光軸Ｏに対して略垂直に配置された赤外線カットフィルタ９と、などを備えて構成されている。【００２４】
ここで、図１，３，４，７に示すように、撮像光学系２の光軸Ｏ方向を上下方向とし、撮像装置１０における光の入射方向側を下側とし、撮像装置１０における光の入射方向と反対側を上側とする。【００２５】
また、図５に示すように、撮像素子４及び第１基板５は略矩形状を成しており、第１基板５の上面（撮像光学系２側の面）は、例えば、第１基板５の一縁部５ａ側における撮像素子４の端部４ａと接して第１基板５の一縁部５ａと略平行な境界線Ｂを挟んで、二つのエリアに分かれており、当該二つのエリアのうちの、撮像素子４側のエリアを第１エリアＭとし、第１エリアＭに隣接するエリアを第２エリアＮとする。【００２６】
本体部１１は、例えば、上面及び下面が開口した略四角筒形状の枠体を成し、下端部が第１基板５の撮像素子４側の面（上面）の縁部に沿って固定されている。【００２７】
また、本体部１１は、例えば、上端部において、蓋部１２を支持しており、例えば、第１基板５の一縁部５ａ側の内側面（第１内側面１１ａ）において、第２基板６を支持している。【００２８】
また、本体部１１は、例えば、第１エリアＭ上方における内側面の所定箇所１１ｅにおいて、ヘリモルフアクチュエータ３の一端部３ａ（後述）を支持している。【００２９】
本体部１１は、例えば、シールド部材８や赤外線カットフィルタ９を支持する支持部１１１を備えている。【００３０】
支持部１１１は、例えば、撮像光学系２と撮像素子４との間で撮像光学系２の光軸Ｏに対して略垂直に配置され、本体部１１の第１内側面１１ａを除く三つの内側面（第２内側面１１ｂ、第３内側面１１ｃ、第４内側面１１ｄ）と連続しており、第１内側面１１ａ側の支持部１１１の端部１１１ａは第１内側面１１ａと離間している。【００３１】
支持部１１１の撮像光学系２下方に相当する位置には、略矩形状（略円形状等であってもよい）の開口部１１１ｂが設けられており、例えば、開口部１１１ｂの端面下側には、赤外線カットフィルタ９を支持するためのフィルタ支持部１１１ｃが設けられている。【００３２】
また、支持部１１１の端部１１１ａ近傍の下面には、第２エリアＮに固定された脚部１１１ｄが設けられており、支持部１１１の端部１１１ａ近傍の上面には、シールド部材８を支持するためのシールド部材支持溝１１１ｅが設けられている。このシールド部材支持溝１１１ｅは、境界線Ｂに対して略平行となっている。【００３３】
蓋部１２は、略矩形状の板状部材であり、本体部１１の上面側の開口を覆うように、蓋部１２の下面端部において、本体部１１の上端部に固定されている。【００３４】
また、蓋部１２は、例えば、略中央に、光学系支持体２１（後述）に支持された撮像光学系２が光軸Ｏ方向（上下方向）に出没可能な略円形状の開口部１２ａを有しており、この開口部１２ａから撮像光学系２へ被写体光を入射させることができるようになっている。【００３５】
撮像光学系２は、被写体光を撮像素子４側に導くためのものであり、一個のレンズによって、或いは、複数個のレンズや絞りなどによって構成されている。【００３６】
撮像光学系２は、撮像素子４側の被写体光が射出される側の光学有効面及び、被写体光が入射する側の光学有効面が露出するように、光学系支持体２１に支持されている。【００３７】
具体的には、光学系支持体２１は、例えば、略円筒形状を成しており、下面が、開口面であるとともに、上面に、撮像光学系２の上面中央の光学有効面が露出可能な大きさであって矩形状の開口部２１ａを有している。【００３８】
撮像光学系２を支持した光学系支持体２１は、例えば、第１エリアＭ上方における外面の所定箇所２１ｂにおいて、ヘリモルフアクチュエータ３の他端部３ｂ（後述）に支持されるとともに、本体部１１に設けられたガイド（図示省略）により、光軸Ｏ方向（上下方向）に移動可能に支持されている。【００３９】
ヘリモルフアクチュエータ３は、例えば、光学系支持体２１に支持された撮像光学系２を光軸Ｏ方向（上下方向）に駆動するための圧電アクチュエータである。具体的には、ヘリモルフアクチュエータ３は、圧電材料からなる層と電極からなる層とを有する積層テープを、例えば、図６に示すように、略円形状（略螺旋状等であってもよい）の巻回軸Ｗを中心に、螺旋状に巻回することによって形成されている。【００４０】
ヘリモルフアクチュエータ３は、例えば、撮像光学系２を支持する光学系支持体２１の周囲を取り巻くように、且つ、第１エリアＭ上方にのみ配置されるようになっており、第２エリアＮ上方には配置されないようになっている。そして、ヘリモルフアクチュエータ３は、例えば、一端部３ａにおいて、本体部１１の所定箇所１１ｅに固定されており、例えば、他端部３ｂにおいて、光学系支持体２１の所定箇所２１ｂに固定されている。【００４１】
ここで、ヘリモルフアクチュエータ３は、電子部品７等から電圧が印加されると、例えば、図７に示すように、他端部３ｂを動かして、光学系支持体２１に支持された撮像光学系２を光軸Ｏ方向（上下方向）に駆動することによって、撮像光学系２の位置を調整することができるようになっている。【００４２】
なお、ヘリモルフアクチュエータ３の長さとヘリモルフアクチュエータ３の駆動範囲には相関関係があり、例えば、ヘリモルフアクチュエータ３が長いほど、駆動範囲は広くなり、ヘリモルフアクチュエータ３が短いほど、駆動範囲は狭くなる。したがって、ヘリモルフアクチュエータ３の長さは、撮像光学系２の上下方向のストローク（移動範囲）が設計されることによって決まり、ヘリモルフアクチュエータ３の長さは、撮像光学系２を支持する光学系支持体２１の周囲を取り巻くように、且つ、第１エリアＭ上方にのみ配置される範囲内であれば、任意である。そして、ヘリモルフアクチュエータ３の長さによって、本体部１１の所定箇所１１ｅの位置や光学系支持体２１の所定箇所２１ｂの位置が決まる。【００４３】
撮像素子４は、例えば、撮像光学系２に導かれ、赤外線カットフィルタ９により赤外線がカットされた被写体光を光電変換するためのものであり、例えば、第１基板５の第１エリアＭに実装（接着及びワイヤＷによる電気的接続）されている。【００４４】
第１基板５は、例えば、略矩形状の板状部材であり、上述した通り、上面が第１エリアＭと第２エリアＮとに分かれている。【００４５】
第１基板５は、例えば、上面端部において、本体部１１を支持している。【００４６】
また、第１基板５は、例えば、第１エリアＭにおいて、撮像素子４を実装するとともに、撮像素子４を駆動する撮像素子４用の電子部品（図示省略）と電気的に接続している。【００４７】
また、第１基板５は、例えば、第２エリアＮの境界線Ｂ側の端部近傍において、支持部１１１の脚部１１１ｄを支持するとともに、例えば、第２エリアＮの境界線Ｂに対向する側の端部近傍（第１基板５の一縁部５ａ近傍）において、第２基板６と電気的に接続している。【００４８】
第２基板６は、例えば、略矩形状の板状部材であり、下面において、第１基板５の第２エリアＮと電気的に接続している。【００４９】
また、第２基板６は、例えば、撮像光学系２側の面（内面）と反対側の面（外面）において、本体部１１に固定されている。【００５０】
また、第２基板６は、例えば、内面において、複数の電子部品７，７，…を固定し、それらを電気的に接続している。【００５１】
電子部品７は、例えば、ヘリモルフアクチュエータ３を駆動するためのものであり、例えば、コンデンサやコイルなどを含む昇圧回路や、ドライバなどで構成され、これらの電子部品は、第２基板６を介して、電気的に接続されている。【００５２】
シールド部材８は、電子部品７から発せられる電磁波等を遮蔽するためのものであり、例えば、下端において、支持部１１１のシールド支持溝１１１ｅに固定されている。また、シールド部材８は、不図示であるが第１基板５又は第２基板６のグランドパターンに接続されている。【００５３】
赤外線カットフィルタ９は、撮像光学系２に導かれた被写体光から赤外線をカットするためのものであり、例えば、下面端部において、支持部１１１のフィルタ支持部１１１ｃに固定されている。【００５４】
具体的には、赤外線カットフィルタ９は、例えば、有機材料などで形成されたフィルタ状又はガラス状のフィルタであり、例えば、支持部１１１の開口部１１１ｂの形状にあわせて形成されている。【００５５】
次に、撮像装置１０の使用態様について説明する。【００５６】
撮像装置１０は、例えば、図８に示すように、携帯端末としての携帯電話機１００に備えられている。【００５７】
具体的には、撮像装置１０は、例えば、携帯電話機１００の液晶表示部の下方に相当する位置に、携帯電話機１００の背面（液晶表示部側を正面とする。）から被写体光を取り込むことができるように、端末本体１００ａ内に配設されている。そして、撮像装置１０は、例えば、撮像装置１０に備えられた外部接触端子（図示省略）を介して、携帯電話機１００の制御部（図示省略）に接続されている。【００５８】
以上説明した第１の実施の形態における撮像装置１０及び撮像装置１０を備えた携帯電話機１００によれば、被写体光を導くための撮像光学系２と、撮像光学系２に導かれた被写体光を光電変換する撮像素子４と、撮像光学系２の光軸Ｏを中心として撮像光学系２を支持する光学系支持体２１の周囲を取り巻くように配置され、撮像光学系２を光軸Ｏ方向（上下方向）に駆動するヘリモルフアクチュエータ３と、撮像光学系２の光軸Ｏに対して略垂直に配置され、撮像光学系２側の面に撮像素子４を固定した略矩形状の第１基板５と、第１基板５よりも撮像光学系２側に、第１基板５に対して略垂直に配置され、当該第１基板５の一縁部５ａ近傍と接続される第２基板６と、を備え、第１基板５は、第１基板５の一縁部５ａにおける撮像素子４の端部４ａと接して一縁部と略平行な境界線Ｂを挟んで、撮像素子４側の第１エリアＭと、第１エリアＭに隣接する第２エリアＮとに分かれ、第１エリアＭ上方には、ヘリモルフアクチュエータ３が配置され、第２基板６の撮像光学系２側の面（上面）には、ヘリモルフアクチュエータ３を駆動する複数の電子部品７，７，…が固定されている。【００５９】
すなわち、撮像素子４が固定された第１エリアＭ上方にのみヘリモルフアクチュエータ３が配置されているため、ヘリモルフアクチュエータ３に邪魔されることなく、ヘリモルフアクチュエータ３用の電子部品７を、撮像素子４が固定されていない第２エリアＮ上方に固定することができる。したがって、撮像装置１０内の限られたスペースに、ヘリモルフアクチュエータ３とヘリモルフアクチュエータ３用の電子部品７を効率よく収容することができるため、小型化が容易な撮像装置１０及び小型化が容易な撮像装置１０を端末本体１００ａに備えた携帯端末１００を提供することができる。【００６０】
特に、ヘリモルフアクチュエータ３用の電子部品７の設置面積が大きい場合や電子部品７の個数が多い場合などに、第１の実施の形態における撮像装置１０は有効である。【００６１】
また、シールド部材８によってヘリモルフアクチュエータ３と第２基板６に固定された複数の電子部品７，７，…とを隔てることができるため、電子部品７，７，…から発せられる電磁波等の影響によるヘリモルフアクチュエータ３の誤作動等を防止することができる。さらに、シールド部材８によって撮像素子４と電子部品７，７，…とを隔てることができるため、電子部品７，７，…から発せられる電磁波等の影響によって撮像素子にのるノイズを、軽減することができる。【００６２】
また、ヘリモルフアクチュエータ３により撮像光学系２を駆動するため、撮像光学系２の駆動範囲を大きくすることができる。
［第２の実施の形態］
次に、第２の実施の形態における撮像装置１０Ａ及び撮像装置１０Ａを備える携帯端末１００Ａについて説明する。【００６３】
なお、第２の実施の形態の撮像装置１０Ａは、電子部品７が、第２基板６でなく、第１基板である基板５Ａに固定されている点のみが第１の実施の形態の撮像装置１０と異なる。したがって、異なる箇所にのみついて説明し、その他の共通する部分は同一符号を付して説明する。【００６４】
撮像装置１０Ａは、例えば、図９〜１１に示すように、外枠部材１と、撮像光学系２と、ヘリモルフアクチュエータ３と、撮像素子４と、基板５Ａと、基板５Ａの撮像光学系２側の面の第２エリアＮに固定された複数の電子部品７，７，…と、シールド部材８と、赤外線カットフィルタ９と、などを備えて構成されている。【００６５】
基板５Ａは、例えば、略矩形状の板状部材であり、上述した通り、上面が第１エリアＭと第２エリアＮとに分かれている。【００６６】
基板５Ａは、例えば、上面端部において、本体部１１を支持している。【００６７】
また、基板５Ａは、例えば、第１エリアＭにおいて、撮像素子４を実装するとともに、撮像素子４を駆動する撮像素子４用の電子部品（図示省略）と電気的に接続している。【００６８】
また、基板５Ａは、例えば、第２エリアＮにおいて、支持部１１１の脚部１１１ｄを支持するとともに、複数の電子部品７，７，…を固定し、これらを電気的に接続している。【００６９】
電子部品７は、例えば、ヘリモルフアクチュエータ３を駆動するためのものであり、例えば、コンデンサやコイルなどを含む昇圧回路や、ドライバなどで構成され、これらの電子部品は、基板５を介して、電気的に接続されている。【００７０】
次に、撮像装置１０Ａの使用態様について説明する。【００７１】
撮像装置１０Ａは、例えば、図１２に示すように、携帯端末としての携帯電話機１００Ａに備えられている。【００７２】
具体的には、撮像装置１０Ａは、例えば、携帯電話機１００Ａの液晶表示部の下方に相当する位置に、携帯電話機１００Ａの背面（液晶表示部側を正面とする。）から被写体光を取り込むことができるように、端末本体１００ａＡ内に配設されている。そして、撮像装置１０Ａは、例えば、撮像装置１０Ａに備えられた外部接触端子（図示省略）を介して、携帯電話機１００Ａの制御部（図示省略）に接続されている。【００７３】
以上説明した第２の実施の形態における撮像装置１０Ａ及び撮像装置１０Ａを備えた携帯電話機１００Ａによれば、基板５Ａの第１エリアＭ上方には、ヘリモルフアクチュエータ３が配置され、基板５Ａの第２エリアＮには、ヘリモルフアクチュエータ３を駆動する複数の電子部品７，７，…が固定されている。すなわち、撮像素子４が固定された第１エリアＭの上方にのみヘリモルフアクチュエータ３が配置されているため、ヘリモルフアクチュエータ３に邪魔されることなく、ヘリモルフアクチュエータ３用の電子部品７を、撮像素子４が固定されていない第２エリアＮに固定することができる。したがって、撮像装置１０Ａ内の限られたスペースに、ヘリモルフアクチュエータ３とヘリモルフアクチュエータ３用の電子部品７を効率よく収容することができるため、小型化が容易な撮像装置を提供することができる。【００７４】
特に、ヘリモルフアクチュエータ３用の電子部品７の高さが大きい場合などに、第２の実施の形態における撮像装置１０Ａは有効である。【００７５】
なお、本発明は、上記した実施の形態のものに限るものではなく、その要旨を逸脱しない範囲で適宜変更可能である。【００７６】
第１及び第２の実施の形態において、撮像光学系２を駆動する圧電アクチュエータは、ヘリモルフアクチュエータ３の限りでなく、撮像光学系２を支持する光学系支持体２１の周囲を取り巻くように配置されて撮像光学系２を光軸Ｏ方向（上下方向）に駆動する圧電アクチュエータであれば任意である。
【図１】
2007097155.tif 000003
【図２】
2007097155.tif 000004
【図３】
2007097155.tif 000005
【図４】
2007097155.tif 000006
【図５】
2007097155.tif 000007
【図６】
2007097155.tif 000008
【図７】
2007097155.tif 000009
【図８】
2007097155.tif 000010
【図９】
2007097155.tif 000011
【図１０】
2007097155.tif 000012
【図１１】
2007097155.tif 000013
【図１２】
2007097155.tif 000014
【国際調査報告】
2007097155.tif 000015
2007097155.tif 000016
2007097155.tif 000017
2007097155.tif 000018